(57)【要約】【課題】簡易にデータの読出制限をかけることができる電子機器、ファイル読出方法、ファイル読出プログラムおよび記録媒体を提供する。【解決手段】固有の識別情報を保持した外部記憶装置が接続されるインターフェースと、外部記憶装置のファイルを保存する記憶手段と、記憶手段に保存されたファイルを処理する演算処理装置３２を有し装置全体を制御する制御手段とを備えた電子機器であって、制御手段は、外部記憶装置の識別情報を取得する識別情報取得部３２３６と、外部記憶装置に記憶されたファイルを記憶手段に保存する際に、当該ファイルと、外部記憶装置の識別情報とを関連付けて保存するファイル保存部３２４１，３２４５と、記憶手段に保存されたファイルを読み出す際に、インターフェースに接続されている外部記憶装置の識別情報とは異なる識別情報に関連付けて保存されたファイルの読出しを規制するファイル読出規制部３２４３とを備える。【選択図】  図２
2007034435.tif 000002
【特許請求の範囲】
【請求項１】
それぞれ固有の識別情報を保持した外部記憶装置が接続されるインターフェースと、前記外部記憶装置に記憶されたファイルを保存する記憶手段と、前記記憶手段に保存されたファイルを処理する演算処理装置を有し、装置全体を制御する制御手段とを備えた電子機器であって、
前記制御手段は、
前記外部記憶装置の識別情報を取得する識別情報取得部と、
前記外部記憶装置に記憶されたファイルを前記記憶手段に保存する際に、当該ファイルと、前記外部記憶装置の識別情報とを関連付けて保存するファイル保存部と、
前記記憶手段に保存されたファイルを読み出す際に、前記インターフェースに接続されている前記外部記憶装置の識別情報とは異なる識別情報に関連付けて保存されたファイルの読出しを規制するファイル読出規制部とを備えることを特徴とする電子機器。
【請求項２】
請求項１に記載の電子機器において、
前記制御手段は、
前記ファイル保存部によるファイル保存の際に、前記ファイル読取規制部によるファイルの読出規制を設定するか否かを選択させる規制選択部を備えることを特徴とする電子機器。
【請求項３】
請求項１または請求項２に記載の電子機器において、
前記記憶手段には、前記外部記憶装置から保存したファイルの保存先情報と、当該外部記憶装置の識別情報とが対応した管理テーブルが記憶され、
前記ファイル保存部は、
前記外部記憶装置に記憶されたファイルを前記記憶手段に保存する記憶ファイル保存部と、
前記ファイルの保存先情報、および、前記識別情報を前記管理テーブルに関連付けて登録する関連付け情報登録部とを備えることを特徴とする電子機器。
【請求項４】
請求項３に記載の電子機器において、
前記制御手段は、
前記管理テーブル上の前記保存先情報と前記識別情報との対応関係を編集する管理テーブル編集部を備えることを特徴とする電子機器。
【請求項５】
請求項１〜請求項４のいずれかに記載の電子機器において、
前記識別情報と前記ファイルとの関連付けに関らず、前記記憶手段に保存された略全てのファイルの読出しが可能なマスタ識別情報を登録するマスタ登録部を備えることを特徴とする電子機器。
【請求項６】
それぞれ固有の識別情報を保持した外部記憶装置が接続されるインターフェースと、前記外部記憶装置に記憶されたファイルを保存する記憶手段と、前記記憶手段に保存されたファイルを処理する演算処理装置を有し、装置全体を制御する制御手段とを備えた電子機器に用いられ、前記外部記憶装置が前記インターフェースに接続された状態で、前記記憶手段に保存されたファイルを読み出すファイル読出方法であって、
前記制御手段に、
前記外部記憶装置から当該外部記憶装置に保持された識別情報を取得する識別情報取得ステップと、
取得した前記識別情報に基づいて、当該識別情報に関連付けて保存されたファイルの保存先情報を取得する保存先情報取得ステップと、
取得した前記識別情報とは異なる識別情報に関連付けて保存されたファイルの読出しを規制する読出規制ステップと、
取得した前記保存先情報に基づくファイルを読み出すファイル読出ステップとを実行させることを特徴とするファイル読出方法。
【請求項７】
それぞれ固有の識別情報を保持した外部記憶装置が接続されるインターフェースと、前記外部記憶装置に記憶されたファイルを保存する記憶手段と、前記記憶手段に保存されたファイルを処理する演算処理装置を有し、装置全体を制御する制御手段とを備えた電子機器に用いられ、前記外部記憶装置が前記インターフェースに接続された状態で、前記記憶手段に保存されたファイルを読み出すために、前記制御手段上で実行可能なファイル読出プログラムであって、
前記制御手段に、
前記外部記憶装置から当該外部記憶装置に保持された識別情報を取得する識別情報取得ステップと、
取得した前記識別情報に基づいて、当該識別情報に関連付けて保存されたファイルの保存先情報を取得する保存先情報取得ステップと、
取得した前記識別情報とは異なる識別情報に関連付けられて保存されたファイルの読出しを規制する読出規制ステップと、
取得した前記保存先情報に基づくファイルを読み出すファイル読出ステップとを実行させることを特徴とするファイル読出プログラム。
【請求項８】
請求項７に記載のファイル読出プログラムをコンピュータ読取可能に記録したことを特徴とする記録媒体。
【発明の詳細な説明】
【技術分野】
【０００１】
本発明は、外部記憶装置が接続されるインターフェースと、前記外部記憶装置に記憶されたファイルを保存する記憶手段と、前記記憶手段に保存されたファイルを処理する演算処理装置を有し、装置全体を制御する制御手段とを備えた電子機器、当該電子機器に用いられ、記憶手段に保存されたファイルを読み出すファイル読出方法、ファイル読出プログラム、および、記録媒体に関する。
【背景技術】
【０００２】
従来、外部記憶装置が接続されるインターフェースと、ファイル等のデータを記憶する記憶手段と、当該データを処理するとともに装置全体を制御する制御手段とを備えたＰＣ（Personal Computer）および画像表示装置等の電子機器が知られている。このような電子機器は、複数人が使用する場合があるため、保存されたデータの削除や不要な参照がなされないようにする必要がある。このため、それぞれの使用者に対して、記憶手段に記憶されたデータの読出制限をかける方法が数多く提案されている。
このような方法としては、例えば、パスワード等を入力させ、当該パスワードが予め設定されていた値と同一であれば、データに対するアクセスを許容し、同一でなければアクセスを拒否するという方法が知られている。また、パスワードの代わりに使用者の指紋情報等を解析する方法が提案されている。
【０００３】
さらに、ＰＣにおいては、当該ＰＣに設けられたインターフェースに外部機器が接続された状態ではＰＣの操作を許容し、当該外部機器との接続が解除された場合にはＰＣの操作を拒否する操作制限を行う仕組みが提案されている（例えば、非特許文献１参照）。この仕組みでは、ＰＣは、当該ＰＣにインストールされたソフトウェアにより、ＵＳＢ（Universal Serial Bus）機器が接続されるとＰＣに対する操作を許容（アンロック）し、当該ＵＳＢ機器が外されるとＰＣに対する操作を拒否（ロック）する。これにより、ＰＣに対して簡易に操作制限をかけることができる。
【０００４】
【非特許文献１】“カチャッとUSBパソコンロック2  製品情報”、［online］、株式会社ライフボート、［平成１７年６月２４日検索］、インターネット＜ＵＲＬ：http://www.lifeboat.jp/products/pl2/pl2.html＞
【発明の開示】
【発明が解決しようとする課題】
【０００５】
しかしながら、前述のデータの読出制限の方法では、パスワードの入力操作や指紋情報の提供を使用者に要求するため、使用者にとって操作が面倒であるという問題がある。また、前述の外部機器（ＵＳＢ機器）を接続してＰＣの操作制限を行う方法は、装置（ＰＣ）のロック・アンロック機構であり、当該外部機器が接続された状態では、ＰＣ内に保存されたデータに対する読出制限はかけられていないため、前述の読出制限をさらに加える必要があり、構成が複雑化するという問題がある。
【０００６】
本発明の目的は、簡易にデータの読出制限をかけることができる電子機器、ファイル読出方法、ファイル読出プログラムおよび記録媒体を提供することである。
【課題を解決するための手段】
【０００７】
前記した目的を達成するために、本発明の電子機器は、それぞれ固有の識別情報を保持した外部記憶装置が接続されるインターフェースと、前記外部記憶装置に記憶されたファイルを保存する記憶手段と、前記記憶手段に保存されたファイルを処理する演算処理装置を有し、装置全体を制御する制御手段とを備えた電子機器であって、前記制御手段は、前記外部記憶装置の識別情報を取得する識別情報取得部と、前記外部記憶装置に記憶されたファイルを前記記憶手段に保存する際に、当該ファイルと、前記外部記憶装置の識別情報とを関連付けて保存するファイル保存部と、前記記憶手段に保存されたファイルを読み出す際に、前記インターフェースに接続されている前記外部記憶装置の識別情報とは異なる識別情報に関連付けて保存されたファイルの読出しを規制するファイル読出規制部とを備えることを特徴とする。
【０００８】
このような外部記憶装置として、メモリカードや、ＵＳＢ端子にて接続されるＵＳＢメモリ、ＨＤＤ（Hard Disk Drive）、ＣＤ（Compact Disc）およびＤＶＤ（Digital Versatile Disc）等の光学ドライブ、光磁気ディスクドライブ、並びに、磁気ディスクドライブや、その他、ＩＥＥＥ１３９４等の接続端子を介して接続され、内部にデータを記憶／読出可能な領域を有する外部機器等を挙げることができる。
また、このような識別情報としては、外部記憶装置のシリアル番号やＩＤ番号等を例示することができる。
【０００９】
本発明によれば、電子機器に接続された外部記憶装置の識別情報を、当該外部記憶装置から記憶手段に保存されたファイルの読出許可の指標とすることができ、他の外部記憶装置から記憶手段に保存されたファイルに対して読出し規制をかけることができる。
すなわち、外部記憶装置から記憶手段にファイルを保存する際に、制御手段の識別情報取得部が取得した当該外部記憶装置の識別情報に関連付けて、当該ファイルがファイル保存部により記憶手段に記憶される。そして、外部記憶装置がインターフェースに接続された状態で、記憶手段に保存されたファイルを読み出す際には、当該インターフェースに接続された外部記憶装置の識別情報に基づいて、当該識別情報に関連付けて保存されたファイルが読み出される一方、他の外部記憶装置の識別情報に関連付けて保存されたファイルの読出しが、ファイル読出規制部により規制される。
【００１０】
これによれば、記憶手段に保存されたファイルの読出時に、外部記憶装置を接続することにより、当該ファイルのうち、当該外部記憶装置の識別情報とは異なる他の識別情報に関連付けて保存されたファイルの読出しを規制することができる。従って、接続された外部記憶装置の識別情報とは異なる識別情報に関連付けられたファイルの読出制限を、簡易に行うことができる。
【００１１】
本発明では、前記制御手段は、前記ファイル保存部によるファイル保存の際に、前記ファイル読取規制部によるファイルの読出規制を設定するか否かを選択させる規制選択部を備えることが好ましい。
本発明によれば、外部記憶装置から記憶手段へのファイル保存の際に、規制選択部により、保存したファイルが他の外部記憶装置が接続された場合に読み出されることを許可するか否かを選択することができる。ここで、読出し規制を設定しなかった場合には、当該保存されたファイルは、他の外部記憶装置がインターフェースに接続された場合でも、ファイル読出規制部による読出規制がかからずに当該ファイルの読み出しを可能とすることができる。
これによれば、規制選択部により読出し規制を設定するか否かの選択を行うことができるので、他の外部記憶装置が接続された場合、または、外部記憶装置が接続されていない場合でも読出し可能なファイルを、記憶手段に生成することができる。従って、記憶手段上のファイル管理の汎用性を向上することができる。
【００１２】
本発明では、前記記憶手段には、前記外部記憶装置から保存したファイルの保存先情報と、当該外部記憶装置の識別情報とが対応した管理テーブルが記憶され、前記ファイル保存部は、前記外部記憶装置に記憶されたファイルを前記記憶手段に保存する記憶ファイル保存部と、前記ファイルの保存先情報、および、前記識別情報を前記管理テーブルに関連付けて登録する関連付け情報登録部とを備えることが好ましい。
【００１３】
ここで、保存先情報としては、記憶手段が階層構造のファイルシステムを有する場合、ファイルが保存された場所を示すパスを例示することができる。また、保存先情報がパスである場合には、当該パスは絶対パスであってもよく、また所定のフォルダからの相対パスであってもよい。さらに、ファイルの保存先がネットワーク上に存在する記憶手段である場合には、保存先情報は、ＵＲＬ（Uniform Resource Locator）とすることができる。
【００１４】
本発明によれば、関連付け情報登録部により、外部記憶装置から記憶手段に保存されるファイルの当該記憶手段における保存先情報と、当該外部記憶装置の識別情報とが、記憶手段に記憶された管理テーブルに登録される。これによれば、ファイルの保存先情報と識別情報との関連付けを容易に行うことができるほか、ファイル自体に識別情報を付与する場合に比べ、ファイルの破損を防ぐことができる。さらに、記憶手段上のファイルを読出す際に、接続された外部記憶装置の識別情報に関連付けられたファイルか否かを１つ１つ判定する必要がなくなるので、処理の軽減を図ることができる他、読出可能なファイルの検索速度を向上することができる。
【００１５】
本発明では、前記制御手段は、前記管理テーブル上の前記保存先情報と前記識別情報との対応関係を編集する管理テーブル編集部を備えることが好ましい。
本発明によれば、管理テーブル編集部により、ファイルの保存先情報と識別情報との対応関係を編集することができるので、外部記憶装置が接続された場合に読出し可能なファイルおよび読出規制のかかるファイルを変更することができる。例えば、ある外部記憶装置から保存した記憶手段のファイルを、他の外部記憶装置が接続された場合に読み取ることができるようにすることができる。これによれば、記憶手段上の同じファイルに対して読出し規制をかけることができる外部記憶装置を複数設定することができる。従って、ファイルの管理を容易にすることができるとともに、電子機器の汎用性を広げることができる。
特に、このような効果は、当該電子機器に対して複数の使用者がおり、同じファイルに対する読出規制をそれぞれの使用者にかけたい場合に有効である。
【００１６】
本発明では、前記識別情報と前記ファイルとの関連付けに関らず、前記記憶手段に保存された略全てのファイルの読出しが可能なマスタ識別情報を登録するマスタ登録部を備えることが好ましい。
本発明によれば、マスタ登録部により、ある外部記憶装置の識別情報に対して、記憶手段上の略全てのファイルに対して読出規制をかけないマスタとしての機能を設定することができるので、当該外部記憶装置を電子機器に接続して全てのファイルを読み出すことができる。従って、記憶手段上の特定のファイルを読み出す際に、当該ファイルに対応した識別情報を有する外部記憶装置を電子機器に接続する手間を省くことができ、ファイルの読出しおよび管理を容易に行うことができる。
【００１７】
また、本発明のファイル読出方法は、それぞれ固有の識別情報を保持した外部記憶装置が接続されるインターフェースと、前記外部記憶装置に記憶されたファイルを保存する記憶手段と、前記記憶手段に保存されたファイルを処理する演算処理装置を有し、装置全体を制御する制御手段とを備えた電子機器に用いられ、前記外部記憶装置が前記インターフェースに接続された状態で、前記記憶手段に保存されたファイルを読み出すファイル読出方法であって、前記制御手段に、前記外部記憶装置から当該外部記憶装置に保持された識別情報を取得する識別情報取得ステップと、取得した前記識別情報に基づいて、当該識別情報に関連付けて保存されたファイルの保存先情報を取得する保存先情報取得ステップと、取得した前記識別情報とは異なる識別情報に関連付けて保存されたファイルの読出しを規制する読出規制ステップと、取得した前記保存先情報に基づくファイルを読み出すファイル読出ステップとを実行させることを特徴とする。
【００１８】
本発明によれば、前述の電子機器と同様の効果を奏することができる。
すなわち、外部記憶装置が電子機器のインターフェースに接続された状態で記憶手段に保存されたファイルを読み出す場合に、まず、識別情報取得ステップにて、当該接続された外部記憶装置の識別情報が取得される。そして、取得した識別情報と関連付けて保存されたファイルの保存先情報が保存先情報取得ステップにて取得され、当該保存先情報に基づくファイルがファイル読出ステップにて読み出される。この際、接続された外部記憶装置の識別情報とは異なる識別情報に関連付けて保存されたファイルの読出しが、読出規制ステップで規制される。これによれば、記憶手段上のファイルのうち、接続された外部記憶装置の識別情報に関連付けて保存されたファイルの読出しを許容し、当該識別情報とは異なる識別情報に関連付けて保存されたファイルの読出しを規制することができる。従って、簡易に記憶手段上のファイルの読出し制限をかけることができる。
【００１９】
また、本発明のファイル読出プログラムは、それぞれ固有の識別情報を保持した外部記憶装置が接続されるインターフェースと、前記外部記憶装置に記憶されたファイルを保存する記憶手段と、前記記憶手段に保存されたファイルを処理する演算処理装置を有し、装置全体を制御する制御手段とを備えた電子機器に用いられ、前記外部記憶装置が前記インターフェースに接続された状態で、前記記憶手段に保存されたファイルを読み出すために、前記制御手段上で実行可能なファイル読出プログラムであって、前記制御手段に、前記外部記憶装置から当該外部記憶装置に保持された識別情報を取得する識別情報取得ステップと、取得した前記識別情報に基づいて、当該識別情報に関連付けて保存されたファイルの保存先情報を取得する保存先情報取得ステップと、取得した前記識別情報とは異なる識別情報に関連付けられて保存されたファイルの読出しを規制する読出規制ステップと、取得した前記保存先情報に基づくファイルを読み出すファイル読出ステップとを実行させることを特徴とする。
【００２０】
本発明によれば、前述のファイル読出方法と同様の効果を奏することができる。
すなわち、当該ファイル読出プログラムを実行することにより、接続された外部記憶装置の識別情報に関連付けて保存されたファイルの読出しを許容し、当該識別情報とは異なる識別情報に関連付けて保存されたファイルの読出しを規制することができる。従って、簡易に記憶手段上のファイルの読出し制限をかけることができ、ファイルの管理を容易に行うことができる。
【００２１】
また、本発明の記録媒体は、前述のファイル読出プログラムをコンピュータ読取可能に記録したことを特徴とする。
本発明によれば、当該記録媒体に記録されたファイル読出プログラムを読み取って実行することにより、前述のファイル読出プログラムと同様の効果を奏することができる。
また、記録媒体として、ＣＤ（Compact Disc）およびＤＶＤ（Digital Versatile Disc）等の光ディスク、光磁気ディスク、ハードディスク装置、および、半導体メモリ等を用いることができ、これらを利用して、前述のファイル読出プログラムのＰＣ等の電子機器へのインストール、当該電子機器での実行、および、ファイル読出プログラムの配布等を行うことができる。
【発明を実施するための最良の形態】
【００２２】
（１）全体構成
以下、本発明の一実施形態を図面に基づいて説明する。
図１は、本実施形態に係る画像表示装置１の構成を示すブロック図である。
画像表示装置１は、本発明の電子機器に相当し、内部に設けられた記憶手段としてのＨＤＤ（Hard Disk Drive）４４または外部記憶装置としてのメモリカード６から、当該ＨＤＤ４４またはメモリカード６に記憶されたファイルを読み込んで実行、処理するものである。この画像表示装置１は、図１に示すように、表示装置本体２と、当該表示装置本体２を遠隔操作するリモートコントローラ（以下、「リモコン」と略す場合がある）５とを備えて構成されている。
【００２３】
表示装置本体２は、装置本体を制御する制御基板３と、操作パネル４１と、リモコンインターフェース（以下、「リモコンＩＦ」と略す場合がある）４２と、カードスロット４３と、ＨＤＤ４４と、画像表示部４５と、スピーカ４６とを備えて構成されている。
このうち、操作パネル４１は、複数のキーが配設された構成であり、表示装置本体２の外面に露出して設けられている。このようなキーとしては、電源をＯＮ／ＯＦＦするための電源キーや、音量を調節するための音量調節キー等の他、後述する画像表示部４５上に形成されたメニュー等の画面上の選択項目を選択するための上下左右のカーソルキー、選択した項目を確定させる確定キー、および、確定状態をキャンセルするキャンセルキー等が配設されている。この操作パネル４１は、後述する制御基板３のシステムコントローラ３１に電気的に接続されており、当該操作パネル４１上のキーの入力操作に応じた操作信号をシステムコントローラ３１に出力する。
【００２４】
リモコンＩＦ４２は、詳しい図示を省略するが、リモコン５からの赤外線信号を受信する受光部、および、当該赤外線信号を表示装置本体２で内部処理可能な操作信号にデジタル変換するモジュールによって構成されている。このようにして生成された操作信号は、前述の操作パネル４１と同様に、後述する制御基板３のシステムコントローラ３１に出力される。なお、リモコン５には、操作パネル４１に配設されたキーと同様の機能を実行させるための複数のキーが設けられている。
【００２５】
カードスロット４３は、本発明のインターフェースに相当し、メモリカード６が挿抜自在に構成され、メモリカード６のカードリーダ／ライタの機能を備えている。すなわち、このカードスロット４３は、後述するシステムコントローラ３１の制御下で、当該カードスロット４３に装着されたメモリカード６に記憶されたファイルの読出し、および、当該メモリカード６へのファイルの記憶を行うものである。また、カードスロット４３は、装着されたメモリカード６の識別情報としてのシリアル番号を読み出す。このため、カードスロット４３は、表示装置本体２の外部に露出して設けられている。
【００２６】
ＨＤＤ４４は、複数のファイルを記憶可能に構成され、システムコントローラ３１の制御下で、当該ＨＤＤ４４の記憶領域に記憶されたファイルの読出し、および、当該記憶領域へのファイルの記憶を実行するものである。また、このＨＤＤ４４には、ファイルの他に、メモリカード６から保存したファイルの保存先情報であるパスと、当該保存元となったメモリカード６の識別情報とが対応した管理テーブルが保存されている。なお、本実施形態では、ＨＤＤ４４は、表示装置本体２に内蔵されているが、外付けとしてもよい。
【００２７】
ここで、管理テーブルについて説明する。
管理テーブルは、前述のように、ＨＤＤ４４に保存されている。この管理テーブルには、メモリカード６の識別情報としてのシリアル番号と、当該シリアル番号を有するメモリカード６に由来するＨＤＤ４４上のファイルの保存先情報としてのパスとが対応するように関連付けて登録されている。この管理テーブルには、ファイルのパスおよび識別情報が、メモリカード６からＨＤＤ４４に当該ファイルを保存する際に必ず書き込まれるものではなく、ファイル保存処理ＳＡにおいて、保存するファイルの読出規制をかける場合に書き込まれ、当該管理テーブルの情報は、ファイル読出処理ＳＢにおいて参照される。また、この管理テーブルの情報は、管理テーブル編集処理ＳＣにおいて編集が可能とされている。
このような管理テーブルを設けることにより、読出可能なファイルの登録および検索を容易かつ迅速に行うことができる。
【００２８】
画像表示部４５は、制御基板３から入力する画像情報に応じた画像を形成表示するものであり、詳しい図示を省略するが、液晶パネルと当該液晶パネルを駆動する駆動回路とを備えて構成されている。すなわち、画像表示部４５では、制御基板３から入力する画像情報に基づいて駆動回路が液晶パネルを駆動させることにより、当該画像情報に基づく画像が液晶パネル上に形成表示される。
また、スピーカ４６は、制御基板３から入力する音声情報に応じた音声を出力するものである。
【００２９】
（２）制御基板３の構成
制御基板３は、本発明の制御手段に相当し、前述のように表示装置本体２全体の駆動を制御する回路基板として構成されている。この制御基板３は、図１に示すように、システムコントローラ３１、演算処理回路３２、画像処理回路３３、音声処理回路３４、ＲＯＭ（Read Only Memory）３５およびＲＡＭ（Random Access Memory）３６を備えて構成されている。
このうち、ＲＯＭ３５は、電気的に書き換え可能なフラッシュメモリで構成され、後述する演算処理回路３２で処理されるプログラムや各種データが記憶されている。例えば、ＲＯＭ３５には、後述する管理テーブル編集処理ＳＣで参照されるパスワードが記憶されている。また、ＲＯＭ３５には、後述する画像処理回路３３にて生成される選択画面等の各種画面のテンプレート画像データが記憶されている。
ＲＡＭ３６は、ＲＯＭ３５のプログラムやデータが演算処理回路３２で処理される際に、当該プログラムおよびデータの一部または全部が、一時的に記憶される。
【００３０】
システムコントローラ３１は、後述する演算処理回路３２の処理を補助するとともに、制御基板３に対する情報および信号の入出力制御を行う。
具体的に、システムコントローラ３１は、操作パネル４１およびリモコンＩＦ４２からの操作信号を演算処理回路３２に出力する。また、システムコントローラ３１は、演算処理回路３２から制御信号が入力すると、当該制御信号の種別に応じて、カードスロット４３に装着されたメモリカード６およびＨＤＤ４４に記憶されたファイルを読み出して演算処理回路３２へのファイルの出力や、メモリカード６とＨＤＤ４４との間のファイル移動およびコピー等を実行する。
【００３１】
画像処理回路３３は、演算処理回路３２から入力する画像情報を組み立てて、当該画像情報を所定のタイミングで画像表示部４５に出力する。また、この画像処理回路３３では、入力する画像情報に対して、色調や解像度等の調整を行う。
音声処理回路３４は、演算処理回路３２から入力する音声情報を処理して、スピーカ４６に出力する。具体的に、音声処理回路３４は、信号増幅等の処理を行って出力音量を増減させたり、また、音響効果処理を実行したりする。
【００３２】
（３）演算処理回路３２の構成
図２は、演算処理回路３２の機能分類を示すブロック図である。
演算処理回路３２は、本発明の演算処理装置に相当し、ＣＰＵ（Central Processing Unit）等を備えて構成された回路である。この演算処理回路３２は、制御基板３の各機能部に制御信号を出力して、制御基板３全体の駆動を自律的に制御する。また、演算処理回路３２は、システムコントローラ３１を介して、操作パネル４１およびリモコンＩＦ４２から入力する操作信号に応じて、制御基板３の各機能部を制御して、表示装置本体２を制御する。
このような演算処理回路３２は、図２に示すように、信号検出部３２１、主制御部３２２、情報取得部３２３および処理実行部３２４を備えて構成されている。
【００３３】
信号検出部３２１は、システムコントローラ３１を介して入力する操作信号を検出して、当該操作信号の入力が検出された場合に、主制御部３２２に入力が検出された操作信号の種別等を出力する。
主制御部３２２は、表示装置本体２の自律的な駆動制御を行うほか、後述するファイル保存処理ＳＡ、ファイル読出処理ＳＢおよび管理テーブル編集処理ＳＣにおける表示装置本体２の主要な動作制御を行う。これらの処理ＳＡ，ＳＢ，ＳＣにおいては、主制御部３２２は、信号検出部３２１で検出された操作信号の種別に応じて、情報取得部３２３および処理実行部３２４に制御信号を出力し、当該制御信号に応じた処理を実行させる。
【００３４】
情報取得部３２３は、主制御部３２２からの制御信号に応じて、各種情報の取得を行う。具体的に、情報取得部３２３は、メモリカード６からＨＤＤ４４へファイルを保存するファイル保存処理ＳＡ、ＨＤＤ４４に記憶されたファイルの読出しを実行するファイル読出処理ＳＢ、および、装着されたメモリカード６をキーとしたファイルの読出制限を変更する管理テーブル編集処理ＳＣにおいて動作する。なお、ファイル保存処理ＳＡ、ファイル読出処理ＳＢおよび管理テーブル編集処理ＳＣについては、後に詳述する。
このような情報取得部３２３は、保存ファイル情報取得部３２３１、選択ファイル情報取得部３２３２、保存先パス取得部３２３４、規制選択情報取得部３２３５、識別情報取得部３２３６、管理テーブル情報取得部３２３７、編集種別情報取得部３２３８および編集対象情報取得部３２３９を備えて構成されている。これら各取得部３２３１〜３２３９で取得された各情報は、ＲＡＭ３６に一時的に記憶される。
【００３５】
保存ファイル情報取得部３２３１は、システムコントローラ３１に制御信号を出力して、当該システムコントローラ３１を介して、メモリカード６およびＨＤＤ４４に記憶されたファイルの情報を取得する。具体的に、保存ファイル情報取得部３２３１は、メモリカード６およびＨＤＤ４４に記憶されたすべてのファイルのパス等を取得する。このような保存ファイル情報は、ファイル保存処理ＳＡの保存ファイル選択画面の生成時に利用される。
選択ファイル情報取得部３２３２は、ファイル保存処理ＳＡにて表示される保存ファイル選択画面にて、ＨＤＤ４４への保存対象として選択されたファイルの情報、具体的には、当該ファイルのパスを取得する。このような選択ファイル情報は、当該選択ファイルをＨＤＤ４４に保存する際に参照される。
【００３６】
保存先パス取得部３２３３は、ファイル保存処理ＳＡにて表示される保存先フォルダ選択画面で保存先フォルダとして選択されたＨＤＤ４４上のフォルダのパスを取得する。
保存形式取得部３２３４は、ファイル保存処理ＳＡにて表示される保存形式選択画面で選択された保存形式を取得する。具体的に、選択された保存形式が、前述の選択ファイルをＨＤＤ４４の保存先フォルダへのコピーおよび移動のいずれであるのかを取得する。
これら保存先パスおよび保存形式は、前述の選択ファイルをＨＤＤ４４に保存する際に参照される。
【００３７】
規制選択情報取得部３２３５は、ファイル保存処理ＳＡの規制選択画面にて選択された項目の情報を取得する。具体的に、規制選択情報取得部３２３５は、選択ファイルの保存の際に、他のメモリカード６が装着された場合に当該選択ファイルの読出しを規制するか否かの情報を取得する。
識別情報取得部３２３６は、ファイル保存処理ＳＡ、ファイル読出処理ＳＢおよび管理テーブル編集処理ＳＣにおいて、メモリカード６の識別情報を取得する。具体的には、識別情報としてメモリカード６のシリアル番号を取得する。
管理テーブル情報取得部３２３７は、ファイル読出処理ＳＢおよび管理テーブル編集処理ＳＣにおいて、メモリカード６の識別情報と、当該メモリカード６に由来するＨＤＤ４４上のファイルのパスとが関連付けて登録された管理テーブルの情報を取得する。
【００３８】
編集種別情報取得部３２３８は、管理テーブル上に登録された識別情報とファイルのパスとの対応関係を編集する管理テーブル編集処理ＳＣの編集画面にて選択された編集種別を取得する。具体的に、編集種別情報取得部３２３８は、当該編集画面で選択された編集種別が、ＨＤＤ４４に記憶された全てのファイルに対する読み出しが可能なマスタ識別情報の追加であるのか、新たなメモリカード６の識別情報をキーとしたファイル読出規制の追加であるのか、既に登録されているメモリカード６の識別情報の変更であるのか、または、既に登録されたメモリカード６の識別情報の削除であるのかを取得する。
【００３９】
編集対象情報取得部３２３９は、マスタ識別情報として識別情報が設定されたメモリカード６が装着された場合に管理テーブル編集処理ＳＣで表示される編集対象選択画面にて選択された編集対象を取得する。ここで、マスタ識別情報は、ＨＤＤ４４に保存された全てのファイルに対する読出し権限を有するだけでなく、管理テーブルに対する編集権限を有しているので、当該マスタ識別情報として識別情報が設定されたメモリカード６が装着された場合には、編集対象選択画面にて、管理テーブルのどの識別情報の登録内容を編集するのかの選択を行う必要がある。このため、編集対象情報取得部３２３９は、編集対象選択画面で選択された項目、すなわち、編集する管理テーブル上の情報を取得する。
【００４０】
処理実行部３２４は、前述のように、ファイル保存処理ＳＡ、ファイル読出処理ＳＢおよび管理テーブル編集処理ＳＣにおける実質的な処理を行う。このため、処理実行部３２４は、記憶ファイル保存部３２４１、画面情報形成部３２４２、リスト作成部３２４３、ファイル実行部３２４４、管理テーブル登録部３２４５、管理テーブル編集部３２４６および編集対象設定部３２４７を備えている。
【００４１】
記憶ファイル保存部３２４１は、システムコントローラ３１を介して、ファイル保存処理ＳＡの保存ファイル選択画面で選択された選択ファイルの情報、および、保存先選択画面で選択された保存先フォルダのパスを参照して、選択ファイルを保存形式選択画面で選択された保存形式で、保存先フォルダに保存する。
具体的に、記憶ファイル保存部３２４１は、主制御部３２２から制御信号が入力すると、ＲＡＭ３６を参照して選択ファイルのパス、保存先フォルダのパス、および、保存形式を取得して、システムコントローラ３１を介して、装着されたメモリカード６に記憶されている選択ファイルを、保存先フォルダのパスで指定されたフォルダに保存する。この際、保存形式が「コピー」の場合は、メモリカード６上の選択ファイルは削除せず、また、保存形式が「移動」の場合は、当該メモリカード６上の選択ファイルを削除する。
【００４２】
画面情報生成部３２４２は、ファイル保存処理ＳＡ、ファイル読出処理ＳＢおよび管理テーブル編集処理ＳＣにて画像表示部４５に表示される各選択画面の画像情報を生成し、画像処理回路３３に出力する。
すなわち、画面情報生成部３２４２は、ＲＯＭ３５に記憶されたテンプレート画像データを参照して、当該テンプレート画像データを基として後述するファイル保存処理ＳＡ、ファイル読出処理ＳＢおよび管理テーブル編集処理ＳＣにおける各種選択画面を形成し、当該選択画面の画像情報を画像表示部４５に出力する。
このような画面情報生成部３２４２は、具体的に、ファイル保存処理ＳＡにて、保存ファイル選択画面、保存先選択画面、保存形式選択画面および規制選択画面の画像情報を生成し、ファイル読出処理ＳＢにて、読出ファイル選択画面の画像情報を生成し、管理テーブル編集処理ＳＣにて、編集種別選択画面、パスワード入力画面および編集対象選択画面の画像情報を生成する。すなわち、画面情報生成部３２４２は、本発明の規制選択部を構成する。
【００４３】
リスト作成部３２４３は、識別情報取得部３２３６により接続されたメモリカード６から取得した識別情報に基づいて、当該識別情報で読出し可能なファイルのリストを生成する。換言すると、リスト作成部３２４３は、装着されたメモリカード６の識別情報とは異なる識別情報に関連付けて保存されたファイルを除外した読出可能ファイルのリストを生成する。このため、リスト作成部３２４３は、本発明のファイル読出規制部に相当する。
【００４４】
具体的に、リスト作成部３２４３は、取得した識別情報に基づいて管理テーブルを参照し、当該識別情報に関連付けて登録されたファイル情報を取得する。すなわち、リスト作成部３２４３は、管理テーブルに登録されているファイルのうち、取得した識別情報に関連付けて登録されていないファイルに対しては読出権限が無いとして、当該ファイルを読出可能リストに設定しない。また、取得した識別情報が、管理テーブルに登録されていない場合では、リスト作成部３２４３は、管理テーブルに登録されている全てのファイルについても読出可能リストに設定しない。
【００４５】
ここで、管理テーブルに登録されていないファイル、すなわち、読出規制のかけられていないファイルについては、どのようなメモリカード６が装着された場合でも、また、メモリカード６が装着されていない場合でも読出可能であるとして、当該ファイルの情報を読出可能リストに設定する。
一方、管理テーブルにマスタ識別情報として設定された識別情報が取得された場合には、当該識別情報にはＨＤＤ４４に保存されている全てのファイルの読出権限があるとして、当該ＨＤＤ４４の全てのファイルを読出可能リストに設定する。この読出可能リストは、ＲＡＭ３６に一時的に保存され、前述の画面情報生成部３２４２による読出ファイル選択画面の生成の際に参照される。
【００４６】
ファイル実行部３２４４は、読出ファイル選択画面で選択されたファイルを読み出して、当該ファイルを実行する。ここで、選択されたファイルが画像ファイルであれば、画像情報としてデコードし、当該デコードした画像情報を画像処理回路３３に出力する。また、選択されたファイルが音楽ファイルであれば、音楽情報としてデコードし、当該デコードした音声情報を音声処理回路３４に出力する。これにより、読出可能リストから選択されたファイルを実行して、当該ファイルに基づく画像または音声を表示／出力することができる。なお、ファイルの種類によっては、当該ファイルを実行できるソフトウェアを予めＲＯＭ３５またはＨＤＤ４４にインストールしておき、当該ソフトウェアを起動することで実行可能に構成することもできる。
【００４７】
管理テーブル登録部３２４５は、本発明の関連付け情報登録部に相当し、メモリカード６の識別情報と、当該メモリカード６に由来しＨＤＤ４４に保存されるファイルの情報とを関連付けて管理テーブルに登録する。具体的に、管理テーブル登録部３２４５は、ファイル保存処理ＳＡにてメモリカード６から新規にファイルをＨＤＤ４４に保存する際、ファイル保存処理ＳＡの規制選択画面にて読出規制をかける項目が選択された場合に、ＨＤＤ４４に保存するファイルとして選択された選択ファイルの保存先パスおよびファイル名と、メモリカード６の識別情報とを関連付けて管理テーブルに登録する。すなわち、管理テーブル登録部３２４５および記憶ファイル保存部３２４１は、本発明のファイル保存部を構成する。
【００４８】
また、この管理テーブル登録部３２４５は、本発明のマスタ登録部に相当し、マスタ識別情報の登録を行う。具体的に、管理テーブル登録部３２４５は、後述する管理テーブル編集処理ＳＣにて、「マスタ識別情報の設定」が編集種別として選択された場合に、装着されたメモリカード６の識別情報を、ＨＤＤ４４に保存された略全てのファイルに対する読出しが可能な権限を有するマスタ識別情報として管理テーブルに登録する。
【００４９】
管理テーブル編集部３２４６は、管理テーブル編集処理ＳＣにて、ＨＤＤ４４の記憶領域に記憶された管理テーブルの内容を編集する。すなわち、管理テーブル編集部３２４６は、管理テーブルに対して、既に登録されている識別情報に対する追加、変更および削除を行う。
【００５０】
具体的に、管理テーブル編集部３２４６は、「識別情報追加」が選択された場合、すなわち、既に登録されている識別情報に関連付けて保存されたファイルの読出しを他の識別情報を有するメモリカード６が装着された場合にも許容するようにする場合には、新たに登録するメモリカード６の識別情報を、当該既に登録されている識別情報の欄に追加する。
「識別情報変更」が選択された場合、すなわち、既に登録されている識別情報を有するメモリカード６を変更する場合には、管理テーブル編集部３２４６は、当該識別情報を、新たに装着されたメモリカード６の識別情報で上書きする。
「識別情報削除」が選択された場合、すなわち、既に登録されている識別情報を削除して当該識別情報に関連付けて保存されたファイルの読出規制を解除する場合には、管理テーブル編集部３２４６は、選択された識別情報および当該識別情報に関連付けられたファイルのパスを、管理テーブル上から削除することで登録を無効化する。
このような管理テーブル編集部３２４６により、ＨＤＤ４４上のファイル管理を一層容易に行うことができる。
【００５１】
編集対象設定部３２４７は、管理テーブル編集処理ＳＣにて、最初に装着されたメモリカード６の識別情報が、マスタ識別情報として管理テーブルに設定されている場合、編集対象選択画面で選択された識別情報を編集対象として設定する。すなわち、マスタ識別情報として登録された識別情報を有するメモリカードが装着されている場合には、管理テーブルの全ての登録内容について編集することが可能であるので、管理テーブルに登録されている識別情報の中から編集対象を選択する必要がある。このため、編集対象設定部３２４７は、編集対象選択画面にて選択された識別情報を、編集対象として、ＲＡＭ３６に一時的に保存する。この保存された編集対象としての識別情報は、管理テーブル編集部３２４６にて参照される。
【００５２】
（４）ファイル保存処理ＳＡ
次に、ファイル保存処理ＳＡについて説明する。
図３および図４は、ファイル保存処理ＳＡの処理フローを説明する図である。
ファイル保存処理ＳＡは、装着されたメモリカード６からファイルをＨＤＤ４に保存する際に、当該ファイルに対する読出規制を行うか否かを選択させ、読出規制を行う場合には、他のメモリカード６が装着されても当該ファイルに対して読出しを行うことができないようにする処理である。
【００５３】
すなわち、ファイル保存処理ＳＡでは、図３に示すように、操作パネル４１およびリモコン５の操作により、システムコントローラ３１から演算処理回路３２にファイル保存処理ＳＡを呼び出す操作信号が出力されると、当該演算処理回路３２の信号検出部３２１が当該操作信号を検出し、主制御部３２２に当該信号を検出した旨の制御信号を出力する。
この後、主制御部３２２は、システムコントローラ３１を介して、カードスロット４３にメモリカード６が装着されているか否かを判定する（処理ＳＡ０１）。
ここで、メモリカード６が装着されていないと判定した場合には、主制御部３２２は、メモリカード６が装着されるまで待機する。
【００５４】
一方、メモリカード６が装着されていると判定した場合には、主制御部３２２は、保存ファイル情報取得部３２３１に制御信号を出力し、当該保存ファイル情報取得部３２３１により、メモリカード６に保存されているフォルダおよびファイルの構成を取得する（処理ＳＡ０２）。すなわち、この保存ファイル情報取得部３２３１により、装着されたメモリカード６に保存された全ファイル情報が取得される。
【００５５】
この処理ＳＡ０２の後、主制御部３２２は、処理実行部３２４の画面情報生成部３２４２に制御信号を出力し、当該画面情報生成部３２４２により、装着されたメモリカード６からＨＤＤ４４に保存するファイルを選択させる保存ファイル選択画面の画像情報を生成させ、当該画面を表示させる（処理ＳＡ０３）。この際、画面情報生成部３２４２は、前述の保存ファイル情報取得部３２３１で取得されたメモリカード６のファイル情報を参照して、当該画面の画像情報を生成する。
そして、保存ファイル選択画面にて選択されたファイルの情報、具体的に、ファイル名およびパスは、主制御部３２２からの制御信号により、選択ファイル情報取得部３２３２で取得され、当該選択ファイルの情報は、一時的にＲＡＭ３６に記憶される（処理ＳＡ０４）。
【００５６】
処理ＳＡ０４の後、主制御部３２２は、選択ファイルのＨＤＤ４４における保存先を選択させる保存先選択画面を生成させる制御信号を、画面情報生成部３２４２に出力する。そして、当該画面情報生成部３２４２は、選択ファイル情報取得部３２３２によって取得され、ＲＡＭ３６に記憶された選択ファイルの情報、および、ＲＯＭ３５に記憶されたテンプレート画像データに基づいて、保存先選択画面の画像情報を生成して、当該画面を表示させる（処理ＳＡ０５）。なお、新たに保存先としてフォルダが生成される場合には、主制御部３２２は、ＨＤＤ４４上に当該フォルダを作成する。
そして、当該画面にて選択されたＨＤＤ４４上のフォルダのパスは、保存先パス取得部３２３３によって取得され、ＲＡＭ３６に一時的に記憶される（処理ＳＡ０６）。
【００５７】
処理ＳＡ０６の後、主制御部３２２は、保存先パスで指定されたＨＤＤ４４上のフォルダに対する選択ファイルの保存形式を選択させる保存形式選択画面を生成させる制御信号を画面情報生成部３２４２に出力する。そして、当該画面情報生成部３２４２は、ＲＯＭ３５のテンプレート画像データに基づいて、保存形式選択画面の画像情報を生成し、当該画面を表示させる（処理ＳＡ０７）。なお、このような保存形式は、前述のように本実施形態では、ファイルの移動およびコピーとされている。
そして、保存形式選択画面にて選択された保存形式は、保存形式取得部３２３４にて取得され、ＲＡＭ３６に一時的に記憶される（処理ＳＡ０８）。
【００５８】
処理ＳＡ０８の後、主制御部３２２は、図４に示すように、メモリカード６からＨＤＤ４４に保存される選択ファイルに対する読出しを、他のメモリカード６が装着された場合に許容するか否かを選択させる規制選択画面を生成させる制御信号を、画面情報生成部３２４２に出力する。そして、画面情報生成部３２４２は、ＲＯＭ３５のテンプレート画像データに基づいて、規制選択画面の画像情報を生成し、当該画面を表示させる（処理ＳＡ０９）。これにより、保存するファイルに対する読出規制の設定の有無を選択できるので、ＨＤＤ４４上のファイル管理の幅を広げることができる。
この規制選択画面にて選択された規制情報は、規制選択情報取得部３２３５により取得され、ＲＡＭ３６に一時的に記憶される。
【００５９】
ここで、ＲＡＭ３６に記憶された規制情報を主制御部３２２が判定する（処理ＳＡ１０）。すなわち、選択ファイルを他のメモリカード６が装着された際に読出しできないようにする読出規制が選択されたか否かを判定する。
この判定処理ＳＡ１０にて、読出規制をかけないファイル保存が選択された場合には、主制御部３２２は、後述する処理ＳＡ１３に移行する。
【００６０】
一方、読出規制をかけるファイル保存が選択された場合には、主制御部３２２は、識別情報取得部３２３６に、装着されたメモリカード６の識別情報を読み込ませる制御信号を出力し、当該識別情報取得部３２３６により、当該識別情報が取得される（処理ＳＡ１１）。
この処理ＳＡ１１の後、主制御部３２２は、管理テーブル登録部３２４５に制御信号を出力して、当該管理テーブル登録部３２４５により、選択ファイルのファイル名、保存先パスおよび取得した識別情報を関連付けて管理テーブルに登録する（処理ＳＡ１２）。
【００６１】
この後、処理ＳＡ１３では、主制御部３２２は、処理ＳＡ０８にて取得され、ＲＡＭ３６に記憶された保存形式を判定する（処理ＳＡ１３）。
ここで、保存形式がコピーであると判定した場合には、主制御部３２２は、記憶ファイル保存部３２４１に制御信号を出力して、当該記憶ファイル保存部３２４１により、メモリカード６上の選択ファイルを、ＨＤＤ４４の保存先として設定されたフォルダにコピーさせる（処理ＳＡ１４）。
一方、保存形式が移動であると判定した場合には、主制御部３２２は、記憶ファイル保存部３２４１により、当該選択ファイルをＨＤＤ４４上の保存先フォルダに移動する（処理ＳＡ１５）。すなわち、この処理ＳＡ１５では、ＨＤＤ４４の保存先フォルダに選択ファイルをコピーした後、メモリカード６上の選択ファイルを削除する。
なお、これら処理ＳＡ１４およびＳＡ１５では、保存先フォルダは、処理ＳＡ０６にてＲＡＭ３６に記憶された保存先パスを参照して指定される。
以上により、ファイル保存処理ＳＡは終了する。
【００６２】
このようなファイル保存処理ＳＡにより、メモリカード６に保存されていたファイルをＨＤＤ４４に保存する際に、当該ファイルに対して、他のメモリカード６が装着された際に読出しできないようにする読出規制をかけて保存することができる。
【００６３】
（５）ファイル読出処理ＳＢ
次に、ファイル読出処理ＳＢについて説明する。
図５は、ファイル読出処理ＳＢの処理フローを説明する図である。
ファイル読出処理ＳＢは、メモリカード６およびＨＤＤ４４に保存されたファイルのうち、読出可能な状態にあるファイルから任意のファイルを選択させて、当該ファイルを読出し実行する処理である。
【００６４】
すなわち、ファイル読出処理ＳＢにおいては、図５に示すように、操作パネル４１およびリモコン５の操作により、システムコントローラ３１から演算処理回路３２にファイル読出処理ＳＢを呼び出す操作信号が出力されると、前述の処理ＳＡ０１と同様に、信号検出部３２１が当該操作信号を検出し、主制御部３２２に当該信号を検出した旨の制御信号を出力する。この後、主制御部３２２は、システムコントローラ３１を介して、カードスロット４３にメモリカード６が装着されているか否かを判定し（処理ＳＢ０１）、メモリカード６が装着されていないと判定した場合には、処理ＳＢ０８に移行する。
【００６５】
また、メモリカード６が装着されていると判定した場合には、主制御部３２２は、識別情報取得部３２３６により当該メモリカード６の識別情報を取得し（識別情報取得ステップＳＢ０２）、管理テーブル情報取得部３２３７によりＨＤＤ４４に保存された管理テーブルの情報を取得する（処理ＳＢ０３）。
この処理ＳＢ０３の後、主制御部３２２は、処理ＳＢ０２にて取得した識別情報および処理ＳＢ０３にて取得した管理テーブル情報から、当該識別情報が管理テーブルに登録されているか否かを判定する（処理ＳＢ０４）。ここで、当該識別情報が管理テーブルに登録されていないと判定した場合、主制御部３２２は、処理ＳＢ０８に移行する。
【００６６】
一方、装着されたメモリカード６の識別情報が、管理テーブルに登録されていると判定した場合には、主制御部３２２は、当該識別情報が、マスタ識別情報として登録されているか否かを判定する（処理ＳＢ０５）。
この判定処理ＳＢ０５にて、当該識別情報がマスタ識別情報であると判定した場合には、主制御部３２２は、管理テーブルに登録されているファイルがすべて読出可能ファイルであるとして、処理ＳＢ０３にて取得したすべてのファイルのパスを、読出可能ファイルのパスとしてＲＡＭ３６に一時的に記憶させる（処理ＳＢ０６）。
また、判定処理ＳＢ０５にて、メモリカード６の識別情報がマスタ識別情報でないと判定した場合には、主制御部３２２は、処理ＳＢ０３にて取得した管理テーブル情報から、当該識別情報に関連付けて登録されたファイルのパスを、当該識別情報によって読出可能なファイルのパスとして、ＲＡＭ３６に一時的に記憶させる（保存先情報取得ステップＳＢ０７）。
【００６７】
この後、処理ＳＢ０８では、主制御部３２２は、保存ファイル情報取得部３２３１により、メモリカード６に記憶されているファイルのパスと、ＨＤＤ４４に記憶されているファイルのうち、管理テーブルに登録されていない全てのファイルのパスとを取得する。そして、これらファイルのパスを、既に読出可能ファイルが設定されている場合には、当該読出可能ファイルのパスに追加し、あるいは、設定されていない場合には、新たに読出可能ファイルとして設定して、ＲＡＭ３６に一時的に記憶させる（処理ＳＢ０８）。
この処理ＳＢ０８の後、主制御部３２２は、リスト作成部３２４３に制御信号を出力し、当該リスト作成部３２４３は、処理ＳＢ０８によりＲＡＭ３６に記憶された読出可能ファイルのパスを取得して、現在の表示装置本体２の状況で読出可能なファイルのリストを作成する（読出規制ステップＳＢ０９）。この処理ＳＢ０９により作成された読出可能ファイルリストは、ＲＡＭ３６に一時的に記憶される。
【００６８】
処理ＳＢ０９の後、主制御部３２２は、画面情報生成部３２４２により、作成された読出可能ファイルリスト、および、ＲＯＭ３５に記憶されたテンプレート画像データに基づいて、読出可能ファイルから読み出しを実行するファイルを選択させる読出ファイル選択画面を生成させ、当該画面を表示させる（処理ＳＢ１０）。
この読出ファイル選択画面の表示の後、操作パネル４１およびリモコン５の操作に応じて入力する操作信号を信号検出部３２１が検出し、当該信号検出部３２１から入力する制御信号に基づいて、主制御部３２２は、読出ファイルが選択されたか否かを判定する（処理ＳＢ１１）。ここで、読出ファイルが選択されていないと判定した場合は、主制御部３２２は、読出ファイル選択画面にて表示された読出可能ファイルのうちのいずれかが選択されるのを待機する。
【００６９】
一方、読出ファイルが選択されたと判定した場合には、主制御部３２２は、当該選択されたファイルのパスを取得して、当該ファイルのパスと、ファイル実行信号とをファイル実行部３２４４に出力する。そして、当該ファイル実行部３２４４は、入力したパスのファイルを読み込んで実行する（ファイル読出ステップＳＢ１２）。
以上により、ファイル読出処理ＳＢが終了する。
【００７０】
このようなファイル読出処理ＳＢにより、ＨＤＤ４４に保存されたファイルに対して、表示装置本体２の状態に応じて読出規制をかけることができる。
すなわち、カードスロット４３にメモリカード６が装着されていない場合、および、管理テーブルに登録されていない識別情報を有するメモリカード６が装着されている場合には、管理テーブルに登録されたファイルに対して読出規制がかけられる。また、マスタ識別情報ではない識別情報として管理テーブルに登録された識別情報を有するメモリカード６が装着された場合には、当該識別情報とは異なる識別情報に関連付けて登録されたファイルに対する読出規制がかけられる。一方、マスタ識別情報として登録された識別情報を有するメモリカード６が装着された場合には、メモリカード６およびＨＤＤ４４に保存されたすべてのファイルに対する読出しが可能とされる。
これによれば、装着されたメモリカード６により、読出可能なファイルを設定することができる。従って、メモリカード６をＨＤＤ４４に保存されたファイルに対する読出しキーとして用いることができるので、ＨＤＤ４４に保存されたファイルの読出し制限を簡易にかけることができる。
【００７１】
（６）管理テーブル編集処理ＳＣ
次に、管理テーブル編集処理ＳＣについて説明する。
図６および図７は、管理テーブル編集処理ＳＣの処理フローを説明する図である。
管理テーブル編集処理ＳＣは、前述の管理テーブルにおけるメモリカード６の識別情報と、ファイルのパスとの対応関係を編集する処理である。具体的に、管理テーブル編集処理ＳＣにおいては、前述のように、マスタ識別情報の登録、既に登録されている識別情報とファイルとの関連付けに対する新たな識別情報の追加、変更、および、削除を行う。
【００７２】
すなわち、管理テーブル編集処理ＳＣでは、図６に示すように、操作パネル４１およびリモコン５の操作により、システムコントローラ３１から演算処理回路３２に管理テーブル編集処理ＳＣを呼び出す操作信号が出力されると、信号検出部３２１が当該操作信号を検出し、主制御部３２２に当該信号を検出した旨の制御信号を出力する。この後、主制御部３２２は、画面情報生成部３２４２に制御信号を出力し、当該画面情報生成部３２４２により、管理テーブルを編集する種別を選択させる編集種別選択画面の画像情報を生成し、当該画面を表示させる（処理ＳＣ０１）。
この編集種別選択画面にて選択された編集種別は、主制御部３２２から制御信号が入力した編集種別情報取得部３２３８により取得され、ＲＡＭ３６に一時的に記憶される（処理ＳＣ０２）。
【００７３】
この処理ＳＣ０２の後、主制御部３２２は、システムコントローラ３１を介して、カードスロット４３にメモリカード６が装着されているか否かを判定し（処理ＳＣ０３）、メモリカード６が装着されていないと判定した場合には、メモリカード６の装着を待機する。また、メモリカード６が装着されていると判定した場合には、主制御部３２２は、識別情報取得部３２３６により、当該メモリカード６の識別情報を取得し、ＲＡＭ３６に一時的に記憶する（処理ＳＣ０４）。
【００７４】
この処理ＳＣ０４の後、主制御部３２２は、処理ＳＣ０２で取得した編集種別がマスタ設定であるか否かを判定する（処理ＳＣ０５）。
ここで、マスタ設定であると判定した場合には、主制御部３２２は、画面情報生成部３２４２により、マスタ設定を実行するためのパスワードの入力を要求するパスワード入力画面の画像情報を生成させ、当該画面を表示させる（処理ＳＣ０６）。そして、当該パスワード入力画面において、使用者がリモコン５または操作パネル４１に設けられたキーの入力操作によりパスワード入力がなされると、主制御部３２２は、当該入力されたパスワードと、ＲＯＭ３５に予め記憶されたパスワードとが一致するか否かを判定する（処理ＳＣ０７）。
【００７５】
処理ＳＣ０７における判定で、主制御部３２２が、入力されたパスワードと予め記憶されたパスワードとが一致しないと判定した場合、当該主制御部３２２は、正しいパスワードが入力されるまで当該処理ＳＣ０７を繰り返す。この際、主制御部３２２が、画面情報生成部３２４２により、パスワードが正しくない旨のメッセージを画面上に表示するようにしてもよい。なお、この処理ＳＣ０７の実行に際して、使用者によりマスタ設定がキャンセルされた場合には、主制御部３２２は、管理テーブル編集処理ＳＣを終了する。
【００７６】
一方、処理ＳＣ０７における判定で、主制御部３２２が、入力されたパスワードと予め記憶されたパスワードとが一致すると判定した場合、当該主制御部３２２は、管理テーブル登録部３２４５に制御信号を出力し、当該管理テーブル登録部３２４５は、処理ＳＣ０４で取得した識別情報を、マスタ識別情報として管理テーブルに登録する（処理ＳＣ０８）。この後、主制御部３２２は、管理テーブル編集処理ＳＣを終了する。
【００７７】
また、処理ＳＣ０５における判定で、選択された編集種別がマスタ設定でないと判定した場合には、主制御部３２２は、管理テーブル情報取得部３２３７により、管理テーブル情報を取得する（処理ＳＣ０９）。
この処理ＳＣ０９の後、主制御部３２２は、処理ＳＣ０７で取得した管理テーブル情報および処理ＳＣ０４で取得した識別情報から、当該識別情報が管理テーブルに登録されているか否かを判定する（処理ＳＣ１０）。
【００７８】
ここで、装着されたメモリカード６の識別情報、すなわち、処理ＳＣ０４で取得された識別情報が管理テーブルに登録されていないと判定した場合、主制御部３２２は、画面情報生成部３２４２により、管理テーブルに識別情報が登録されているメモリカード６のカードスロット４３への装着を要求する登録済みカード装着要求画面の画像情報を生成させ、当該画面を表示させる（処理ＳＣ１１）。この後、主制御部３２２は、処理ＳＣ０３に戻る。
一方、処理ＳＣ０４で取得された識別情報が管理テーブルに登録されていると判定した場合、主制御部３２２は、当該識別情報がマスタ識別情報として管理テーブルに登録されているか否かを判定する（処理ＳＣ１２）。
【００７９】
ここで、マスタ識別情報ではないと判定した場合には、主制御部３２２は、編集対象設定部３２４７に制御信号を出力し、当該編集対象設定部３２４７は、処理ＳＣ０４で取得した識別情報を編集対象としてＲＡＭ３６に一時的に記憶させる（処理ＳＣ１３）。
【００８０】
一方、装着されたメモリカード６の識別情報がマスタ識別情報として登録されていると判定した場合には、主制御部３２２は、画面情報生成部３２４２に編集対象選択画面の画像情報を生成させ、当該画面を表示させる（処理ＳＣ１４）。この編集対象選択画面は、管理テーブルに登録されている識別情報と、当該識別情報に関連付けられたファイルのパスとを表示して、編集対象として設定する識別情報を選択させる画面である。
この編集対象選択画面にて選択された識別情報は、主制御部３２２からの制御信号が入力した編集対象情報取得部３２３９により取得され、編集対象の識別情報として、ＲＡＭ３６に一時的に記憶される（処理ＳＣ１５）。
【００８１】
処理ＳＣ１３または処理ＳＣ１５の後、主制御部３２２は、図７に示すように、処理ＳＣ０２で取得した編集種別を再度判定する（処理ＳＣ１６）。すなわち、この判定処理ＳＣ１６では、選択された編集種別が、既に管理テーブルに登録されている識別情報に対する新たな識別情報の追加であるのか、登録されている識別情報の新たな識別情報への変更であるのか、あるいは、登録されている識別情報の削除であるのかが判定される。
【００８２】
ここで、選択された編集種別が識別情報の追加である場合には、主制御部３２２は、画面情報生成部３２４２に制御信号を出力して、新たなメモリカード６をカードスロット４３に装着させる装着要求画面の画像情報を生成させ、当該画面を表示させる（処理ＳＣ１７）。
この後、主制御部３２２は、新たなメモリカード６が装着されたか否かを判定し（処理ＳＣ１８）、新たなメモリカード６が装着されていないと判定した場合には、当該カードの装着が検出されるまで待機する。
【００８３】
新たなメモリカード６が装着されたと判定した場合には、主制御部３２２は、識別情報取得部３２３６により、当該新たなメモリカード６の識別情報を取得する（処理ＳＣ１９）。この後、主制御部３２２は、管理テーブル編集部３２４６に制御信号を出力し、当該管理テーブル編集部３２４６は、処理ＳＣ０４で取得した識別情報の管理テーブル上の欄に、処理ＳＣ１９で取得した識別情報を追加する（処理ＳＣ２０）。これにより、処理ＳＣ０４で取得した識別情報を有するメモリカード６が装着された場合に読出可能であったファイルが、処理ＳＣ１９で取得した識別情報を有する新たなメモリカード６が装着された場合でも、読出可能とすることができる。
なお、この処理ＳＣ２０の終了後、主制御部３２２は、管理テーブル編集処理ＳＣを終了する。
【００８４】
また、処理ＳＣ１６の判定において、選択された編集種別が、識別情報の変更である場合には、主制御部３２２は、処理ＳＣ１７〜ＳＣ１８と同様に、画面情報生成部３２４２により、新たなメモリカード６をカードスロット４３に装着させる装着要求画面の画像情報を生成表示させ（処理ＳＣ２１）、新たなメモリカード６が装着されたか否かを判定する（処理ＳＣ２２）。この処理ＳＣ２２において、主制御部３２２は、新たなメモリカード６が装着されていないと判定した場合には、当該カードの装着が検出されるまで待機する。
【００８５】
一方、新たなメモリカード６が装着されたと判定した場合には、主制御部３２２は、識別情報取得部３２３６により、当該新たなメモリカード６の識別情報を取得する（処理ＳＣ２３）。そして、主制御部３２２は、管理テーブル編集部３２４６に制御信号を出力し、当該管理テーブル編集部３２４６は、管理テーブルにおける処理ＳＣ０４で取得された識別情報を、処理ＳＣ２３で取得した識別情報に上書きする（処理ＳＣ２４）。これにより、処理ＳＣ０４で取得した識別情報を有するメモリカード６が装着された場合に読出可能なファイルが、当該メモリカード６の装着時には読み込めなくなる一方で、当該読出可能なファイルは、マスタ識別情報を有するメモリカード６が装着された場合以外に、処理ＳＣ２３で取得された識別情報を有する新たなメモリカード６が装着された場合に、読出可能とすることができる。
なお、この処理ＳＣ２４の終了後、主制御部３２２は、管理テーブル編集処理ＳＣを終了する。
【００８６】
さらに、処理ＳＣ１６の判定において、選択された編集種別が、識別情報の削除である場合には、主制御部３２２は、管理テーブル編集部３２４６に制御信号を出力し、当該管理テーブル編集部３２４６は、処理ＳＣ０４で取得された識別情報を管理テーブルから削除する（処理ＳＣ２５）。
また、この処理ＳＣ２５に合わせて、管理テーブル編集部３２４６は、当該削除した識別情報に関連付けて管理テーブルに登録されたファイルのパスを削除する（処理ＳＣ２６）。これにより、削除した識別情報を有するメモリカード６を装着しなくとも、当該削除した識別情報に関連付けて管理テーブルに登録されていたファイルを読出すことが可能となる。
なお、この処理ＳＣ２６の終了後、主制御部３２２は、管理テーブル編集処理ＳＣを終了する。
【００８７】
以上のような、本実施形態の画像表示装置１によれば、以下のような効果を奏することができる。
すなわち、特定のメモリカード６が装着された場合に、当該メモリカード６からＨＤＤ４４に保存したファイルの読出しを許容させる場合には、当該ファイルのＨＤＤ４４への保存の際に、当該ファイルが保存されていたメモリカード６の識別情報と、当該ファイルのＨＤＤ４４における保存先パスとを関連付けて管理テーブルに登録する。そして、ＨＤＤ４４に保存されたファイルを読み出す際には、装着されたメモリカード６の識別情報を取得して、当該識別情報がマスタ識別情報として登録されたものでない限り、他の識別情報に関連付けて管理テーブルに登録されたファイルに対しては読出しを許容しない。一方、管理テーブルに登録されたファイルのうち、装着されたメモリカード６の識別情報に関連付けて登録されたファイルに対しては読出しが許容される。
【００８８】
これによれば、所定のメモリカード６に由来し、ＨＤＤ４４に保存されファイルの読出しを、マスタ識別情報でない他のメモリカード６が装着された場合に規制することができる。従って、メモリカード６の装着状態、および、装着されたメモリカード６によって、ＨＤＤ４４に保存されたファイルのうち読出可能ファイルが特定されるので、当該ＨＤＤ４４に保存されたファイルに対する読出制限を、簡易に施すことができる。
【００８９】
（７）実施形態の変形
本発明を実施するための最良の構成などは、上記の記載で開示されているが、本発明はこれに限定されるものではない。すなわち、上記に開示した形状、材質などを限定した記載は、本発明の理解を容易にするために例示的に記載したものであり、本発明を限定するものではない。
すなわち、前記実施形態では、外部記憶装置としてメモリカード６を挙げたが、本発明はこれに限らず、他の外部ストレージでもよい。このような外部ストレージとして、ＵＳＢ端子等に接続され、内部にファイル等のデータを記憶可能な記憶領域を備えたＵＳＢメモリやＨＤＤ等を例示することができる。また、記憶手段としてＨＤＤ４４を挙げたが、これに限らず、ファイルを保存可能に構成されているのであれば、他の記憶装置に置き換えてもよい。
【００９０】
前記実施形態では、ファイル保存処理ＳＡ、ファイル読出処理ＳＢおよび管理テーブル編集処理ＳＣは、これらを実行させるプログラムがＲＯＭ３５から読み出されることによって行われるとしたが、当該プログラムは、ＨＤＤ４４に記憶されていてもよい。また、ＨＤＤ４４に限らず、電子機器としての画像表示装置１に接続されるデータ読出装置を介して、ＣＤおよびＤＶＤ等の記録媒体から当該プログラムを読み出すことで実行するように構成してもよい。
【００９１】
前記実施形態では、メモリカード６に記憶されたファイルをＨＤＤ４４に保存する際に、当該ファイルに対して読出規制をかける場合には、当該ファイルのパスおよびメモリカード６の識別情報を管理テーブルに登録するとしたが、本発明はこれに限らない。例えば、ＨＤＤ４４への保存の際に、保存されるファイルに対して当該ファイルが由来するメモリカード６の識別情報に基づく付加情報を付加して保存するようにしてもよい。
なお、管理テーブルを用いた場合では、ファイル自体に対する編集が行われないので、当該ファイルが破損する可能性を抑えることができるとともに、読出制限を加えるファイルの登録、および、読出制限の加わったファイルの検索を、容易にかつ迅速に行うことができる。
【００９２】
前記実施形態では、液晶パネルを有する画像表示部を備えた画像表示装置１を挙げたが、本発明はこれに限らない。すなわち、他の構成の画像表示部を備えた画像表示装置に本発明を採用してもよい。このような画像表示装置として、例えば、プラズマディスプレイ、ＣＲＴ（Cathode-Ray Tube）ディスプレイ、プロジェクタ等を挙げることができる。
また、プロジェクタとしては、スクリーンを観察する方向から投射を行なうフロントタイプのプロジェクタだけでなく、スクリーンを観察する方向とは反対側から投射を行なうリアタイプのプロジェクタにも適用可能である。
さらに、このようなプロジェクタは、光源からの光束を画像情報に応じて変調して光学像を形成する光変調装置を備えた構成としてもよい。このような光変調装置として、液晶パネル、ＩＬＡ（Image Light Amplifier）素子を用いたデバイス、ＤＭＤ（Digital Micromirror Device）およびＧＬＶ（Grating Light Valve）等を例示することができる。また、光変調装置を設けずに、画像情報に応じてレーザ光を射出するレーザ発振器と、当該レーザ発振器から射出されたレーザ光でスクリーンの縦方向および横方向に走査させて画像を形成する２つのカルバノミラーとを備えたレーザプロジェクタに、本発明を採用してもよい。
【００９３】
前記実施形態では、電子機器として、前述のような構成の画像表示装置を挙げて説明したが、本発明は、これに限定されるものではない。すなわち、識別情報を有する外部記憶装置が接続され、当該外部記憶装置に記憶されたファイルを保存可能な記憶手段を備えた電子機器であれば、他の機器でもよい。例えば、ＵＳＢ端子等のインターフェースを備えたＰＣやデジタルカメラ、携帯型音楽再生装置、ＰＤＡ（Personal Digital Assistance）等に対しても、本発明を採用することができる。
【産業上の利用可能性】
【００９４】
本発明は、メモリカードや外部ストレージ等の外部記憶装置が接続されるインターフェースを備え、当該外部記憶装置に記憶されたファイルを保存可能に構成された記憶手段を備えた電子機器に利用でき、特に、画像表示装置、ＰＣ、デジタルカメラ等の電子機器にも好適に利用することができる。
【図面の簡単な説明】
【００９５】
【図１】本発明の一実施形態に係る画像表示装置を示す構成図。
【図２】前記実施形態における演算処理回路の機能分類を示すブロック図。
【図３】前記実施形態におけるファイル保存処理の処理フローを示す図。
【図４】前記実施形態におけるファイル保存処理の処理フローを示す図。
【図５】前記実施形態におけるファイル読出処理の処理フローを示す図。
【図６】前記実施形態における管理テーブル編集処理の処理フローを示す図。
【図７】前記実施形態における管理テーブル編集処理の処理フローを示す図。
【符号の説明】
【００９６】
１…画像表示装置（電子機器）、３…制御基板（制御手段）、６…メモリカード（外部記憶装置）、３２…演算処理回路（演算処理手段）、４３…カードスロット（インターフェース）、４４…ＨＤＤ（記憶手段）、３２３６…識別情報取得部、３２４１…記憶ファイル保存部（ファイル保存部）、３２４２…画面情報生成部（規制選択部）、３２４３…リスト作成部（ファイル読出規制部）、３２４５…管理テーブル登録部（関連付け情報登録部、ファイル保存部、マスタ登録部）、３２４６…管理テーブル編集部、ＳＢ…ファイル読出処理、ＳＢ０２…識別情報取得ステップ、ＳＢ０７…保存先情報取得ステップ、ＳＢ０９…読出規制ステップ、ＳＢ１２…ファイル読出ステップ。
【図１】
2007034435.tif 000003
【図２】
2007034435.tif 000004
【図３】
2007034435.tif 000005
【図４】
2007034435.tif 000006
【図５】
2007034435.tif 000007
【図６】
2007034435.tif 000008
【図７】
2007034435.tif 000009